(57)【要約】      （修正有）【課題】使い捨てが可能であり、衛生的で安全であり、しかも、材質はコストが安く経済的であり、さらに、収納にも便利で、使用もいたって簡単であるいう特長を持つ毛染め用受け板を提供する。【解決手段】使用者の肩に載せる受け板部分１と、受け板の上部に張り付ける交換層２からなる。受け板と交換層の中央にはそれぞれ穴１１が開いていて、穴の外側に開口部分１２があって、首を開口部分から穴の中に入れやすいようになっている。また、受け板はしっかりとした平板状で、受け板の中央１４で折り曲げることができるので、半分に折ることが可能である。また、受け板の表面はすべすべした光沢のある、はがしやすい面で、受け板の上部の適当な位置に、あらかじめ両面テープ１５が貼り付けてあって、交換層を受け板の上に固定するようになっている。そして、交換層は、ディスポーザブルタイプの材質にして、汚れたらすぐ取り替えることも可能である。【選択図】図１
0003102971.tif 000002
【実用新案登録請求の範囲】
【請求項１】
肩に載せる受け板、受け板に上に貼り付ける交換層からなり、  受け板は、中央に穴が開いていて、穴の外側に開口部分があって、受け板の表面はすべすべした光沢のある、はがしやすい面で、受け板の上にあらかじめ両面テープを貼っておき、両面テープのつきが悪くなったら、受け板の表面から簡単にはがすことができるようになっていて、
交換層は、一般に不織布かディスポーザブルの材質でできていて、使用後に汚れていればすぐに交換できるので、安全で衛生的であり、交換層には受け板に対応した穴及び開口部分があることにより、
使用が簡単で、収納も便利で、衛生的且つコストが低くて経済性も高いという特長を持つ、毛染め用受け板。
【請求項２】
交換層が受け板と同じ大きさである、請求項1に記載の毛染め用受け板。
【請求項３】
受け板の開口部分にはマジックテープがついていて、使用者の首のサイズに合わせて調節できるので使い心地がよく、貼り合わせることで、開口部分を閉じて固定するという役目もするので、確実に染毛剤で衣服が汚れるのを防ぐことができるという特長を持つ、請求項1に記載の毛染め用受け板。
【請求項４】
受け板はしっかりした平板状で、受け板は中央部分で折り曲げられるので、大きさが半分になり収納に便利であるという特長を持つ、請求項1に記載の毛染め用受け板。
【請求項５】
交換層が、開口部分に対面する側の面で、適度に交換層の長さを延長してあるので、髪が長い場合の染毛に適用するという特長を持つ、請求項1に記載の毛染め用受け板。
【請求項６】
受け板は、交換層をはがした後、すぐに別の新しい交換層を取り付けなければ、一回使用した後、両面テープに裏紙を貼っておけば、両面テープの粘着部分が覆われて、次回に引き続き使用することが可能であるという特長を持つ、請求項1に記載の毛染め用受け板。
【請求項７】
受け板が二枚の同じ大きさの交換層によって、端と端を接続する方式で受け板の端に貼り付けることも可能で、上の交換層は、受け板の上部をすっぽりと覆い、前端が受け板前端の両面テープに貼り付けられ、さらに、交換層の前端が受け板の後端の両面テープに貼り付けられることで、交換層が受け板の後端から下に垂れ下がって、長い髪の染毛に適用するという特長を持つ、請求項1に記載の毛染め用受け板。
【考案の詳細な説明】
【技術分野】
【０００１】
本考案は毛染め用受け板に関する。本考案の毛染め用受け板は、表面がすべすべした光沢のある、はがしやすい面になっていて、受け板の上部の適当な位置に、あらかじめ両面テープが貼り付けてあって、交換層を受け板の上に固定するようになっている。そして、交換層は、ディスポーザブルタイプの材質にして、汚れたらすぐ取り替えることも可能である。したがって、衛生的で、材質のコストも低く抑えることができる。また、使用方法も簡単で、収納も便利であるという特長を持つ。
【背景技術】
【０００２】
毛染めの際は染毛剤をぶ厚く髪の毛に塗る必要があるため、衣服や床を汚さないようにする措置が採られる。一般には、肩から大きめの布をかけて、首から下の部分を包んで、衣服が汚れないようにする。しかしながら、布製の場合、体のラインに沿って覆われるため、部分的に染毛剤が直接床に落ちて床を汚すことがある。染毛剤は浸透力の強い液体であるため、床に落ちた時にすぐに処理しなければ、時間が経つとしみになって落ちなくなる。また、従来の一枚物や頭からかぶる形式のケープは、直接染毛剤で汚れるので、洗濯が容易ではない。洗濯の手間を省くために、使用のたびに捨てていては不経済であり、長年美容業者の悩みの種であった。
【考案の開示】
【考案が解決しようとする課題】
【０００３】
本考案は、使い捨てが可能であり、衛生的で安全であり、しかも、材質はコストが安く経済的であり、さらに、収納にも便利で、使用もいたって簡単であるいう特長を持つ毛染め用受け板を提供することを目的とする。
【課題を解決するための手段】
【０００４】
本考案の毛染め用受け板は、使用者の肩に載せる受け板部分と、受け板の上部に張り付ける交換層からなる。受け板と交換層の中央にはそれぞれ穴が開いていて、穴の外側に開口部分があって、首を開口部分から穴の中に入れやすいようになっている。また、受け板はしっかりとした平板状で、受け板の中央で折り曲げることができるので、半分に折ることが可能で、収納に便利である。また、受け板の表面はすべすべした光沢のある、はがしやすい面で、受け板の上部の適当な位置に、あらかじめ両面テープが貼り付けてあって、交換層を受け板の上に固定するようになっている。そして、交換層は、ディスポーザブルタイプの材質にして、汚れたらすぐ取り替えることも可能である。したがって、衛生的で、材質のコストも低く抑えることができる。また、使用方法も簡単で、収納も便利であるという特長を持つ。
【考案の効果】
【０００５】
本考案の毛染め用受け板は、上部に交換層を貼り付けただけの構造である。そして、交換層はディスポーザブルタイプの材質（紙や不織布等）でできているので、使い捨てが可能である。したがって、衛生的で安全であり、材質はコストが安く経済的である。さらに、収納にも便利で、使用もいたって簡単であるいう特長を持つ。
【考案を実施するための最良の形態】
【０００６】
図１から図３を参照いただきたい。本考案の毛染め用受け板は、肩に載せる受け板１、受け板１に上に貼り付ける交換層２からなる。
受け板１は、中央に穴１１が開いていて、穴１１の外側に開口部分１２がある。この開口部分１２があることで、首を穴１１に入れやすくなっている。また、開口部分１２にはマジックテープ１３、１３１がついていて、使用者の首のサイズに合わせて調節できるので使い心地がよく、貼り合わせることで、開口部分１２を閉じて固定するという役目もするので、確実に染毛剤で衣服が汚れるのを防ぐことができる。また、受け板１はしっかりした平板状（例えば、ボール紙や薄いプラスチックシート）で、受け板１は中央部分１４で折り曲げられるので、大きさが半分になり収納に便利である。さらに、受け板１の表面はすべすべした光沢のある、はがしやすい面なので、受け板１の上にあらかじめ両面テープ１５を貼っておき、両面テープ１５のつきが悪くなったら、受け板１の表面から簡単にはがすことができるようになっている。
【０００７】
交換層２は、両面テープ１５によって受け板１の上に固定されている。交換層２は一般に不織布かディスポーザブルの材質でできていて、使用後に汚れていればすぐに交換できる。そして、ただちに新しい交換層２に取り替えることが可能なので衛生的である。交換層２は受け板１の大きさと同じで、交換層２には、受け板１に対応する穴２１及び開口部分２２があって、首が入りやすくなっている。
【０００８】
また、受け板１は、交換層２をはがした後、すぐに別の新しい交換層２を取り付けなければ、一回使用した後、両面テープ１５に裏紙１５１を貼っておけば、両面テープ１５の粘着部分が覆われて、次回に引き続き使用することが可能である。
受け板１は毛染めの際に、毛染めを行なう使用者の肩に置いて、頭髪に塗られた染毛剤が直接床に落ちて床を汚すのを防ぐ。
【０００９】
図４から図６を参照いただきたい。本考案のもう一つの実施例は、交換層２が、開口部分２２に対面する側の面２４で、適度に交換層２の長さを延長してある。したがって、髪が長い場合（図４、図５に示す）に適用する。また、この受け板１には、二枚の同じ大きさの交換層２によって、端と端を接続する方式で受け板１の端に貼り付けることも可能である。こうすることで、上の交換層２Aは、受け板１の上部をすっぽりと覆い、前端が受け板前端の両面テープ１５に貼り付けられ、さらに、交換層２Bの前端が受け板１の後端の両面テープ１５に貼り付けられることで、交換層２Bが受け板１の後端から下に垂れ下がって、長い髪の染毛に適用する（図６を参照いただきたい）。
【図面の簡単な説明】
【００１０】
【図１】本考案の立体組立図である。
【図１Ａ】両面テープと裏紙の分解図である。
【図２】本考案の毛染め用受け板を折り畳んだ状態を示した図である。
【図３】本考案の使用状態を示した図である。
【図４】本考案のもう一つの実施例図である。
【図５】本考案のもう一つの実施例の使用状態を示した図である。
【図６】２枚の交換層を採用した実施例図である。
【符号の説明】
【００１１】
１      受け板
１１    穴                        １２      開口部分
１３    マジックテープ（オス）    １３１    マジックテープ（メス）
１４    中央部分
１５    両面テープ                １５１    裏紙
２      交換層                    ２１      穴
２２    開口部分                  ２４      対面側の面
２A    上の交換層                  ２B      下の交換層
【図１】
0003102971.tif 000003
【図１Ａ】
0003102971.tif 000004
【図２】
0003102971.tif 000005
【図３】
0003102971.tif 000006
【図４】
0003102971.tif 000007
【図５】
0003102971.tif 000008
【図６】
0003102971.tif 000009
【手続補正書】
【提出日】平成16年3月15日(2004.3.15)
【手続補正１】
【補正対象書類名】実用新案登録請求の範囲
【補正対象項目名】請求項３
【補正方法】変更
【補正の内容】
【請求項３】
受け板の開口部分には面ファスナーがついていて、使用者の首のサイズに合わせて調節できるので使い心地がよく、貼り合わせることで、開口部分を閉じて固定するという役目もするので、確実に染毛剤で衣服が汚れるのを防ぐことができるという特長を持つ、請求項1に記載の毛染め用受け板。
【手続補正２】
【補正対象書類名】明細書
【補正対象項目名】０００６
【補正方法】変更
【補正の内容】
【０００６】
図１から図３を参照いただきたい。本考案の毛染め用受け板は、肩に載せる受け板１、受け板１に上に貼り付ける交換層２からなる。
受け板１は、中央に穴１１が開いていて、穴１１の外側に開口部分１２がある。この開口部分１２があることで、首を穴１１に入れやすくなっている。また、開口部分１２には面ファスナー１３、１３１がついていて、使用者の首のサイズに合わせて調節できるので使い心地がよく、貼り合わせることで、開口部分１２を閉じて固定するという役目もするので、確実に染毛剤で衣服が汚れるのを防ぐことができる。また、受け板１はしっかりした平板状（例えば、ボール紙や薄いプラスチックシート）で、受け板１は中央部分１４で折り曲げられるので、大きさが半分になり収納に便利である。さらに、受け板１の表面はすべすべした光沢のある、はがしやすい面なので、受け板１の上にあらかじめ両面テープ１５を貼っておき、両面テープ１５のつきが悪くなったら、受け板１の表面から簡単にはがすことができるようになっている。
【手続補正３】
【補正対象書類名】明細書
【補正対象項目名】００１１
【補正方法】変更
【補正の内容】
【００１１】
１      受け板
１１    穴                        １２      開口部分
１３    面ファスナー（オス）      １３１    面ファスナー（メス）
１４    中央部分
１５    両面テープ                １５１    裏紙
２      交換層                    ２１      穴
２２    開口部分                  ２４      対面側の面
２A    上の交換層                  ２B      下の交換層